(57)【要約】【課題】高濃度の酸素が溶存した整水を簡易に飲料として供給できる酸素溶存整水器を提供する。【解決手段】高い酸素分圧を有し且つ酸素５を供給可能なる酸素供給手段２と、予め設定した水位若しくは満水状態に貯留されてなる圧力容器３とを結合し、該圧力容器３を震盪手段２０により震え動かすことで、高濃度の酸素５の泡を圧力容器３内の水４に巻き込んで、水４との接触面積を増やしつつ撹拌することにより、高濃度な酸素溶存水４を生成してなる。【選択図】　　　図１
2004057982.tif 000002
【特許請求の範囲】
【請求項１】
高い酸素分圧を有し且つ酸素を供給可能なる酸素供給手段と、予め設定した水位若しくは満水状態に貯留されてなる圧力容器とを結合し、該圧力容器を震盪手段により震え動かすことで、高濃度の酸素の泡を圧力容器内の水に巻き込んで、水との接触面積を増やしつつ撹拌することにより、高濃度な酸素溶存水を生成してなることを特徴とする酸素溶存整水器。
【請求項２】
請求項１に記載の酸素溶存整水器であって、
前記震盪手段は、固定部に対して所定範囲を移動可能なるガイド手段と、該ガイド手段に沿って往復動可能なると共に前記圧力容器を保持可能なる支持手段と、該支持手段をガイド手段に沿って往復動させるアクチュエータとより構成されてなることを特徴とする酸素溶存整水器。
【請求項３】
請求項１に記載の酸素溶存整水器であって、
前記震盪手段は、一軸を中心に往復揺動可能なると共に前記圧力容器を保持可能なる支持手段と、該支持手段を一軸中心に往復揺動させるアクチュエータとより構成されてなることを特徴とする酸素溶存整水器。
【請求項４】
請求項１乃至請求項３の何れか１項に記載の酸素溶存整水器であって、
前記酸素供給手段と前記圧力容器との結合手段は、震盪手段の移動に影響されず且つ震盪手段に影響を与えない柔軟性を有する材質により形成されてなることを特徴とする酸素溶存整水器。
【請求項５】
請求項１乃至請求項４の何れか１項に記載の酸素溶存整水器であって、
前記圧力容器内を予め設定した水位若しくは満水にすると共に密閉にする第１段階と、該圧力容器を支持手段に固定する第２段階と、酸素の圧力により圧力容器内の水を排水すると共に酸素を供給して、圧力容器内の上部に酸素の滞留する空間を形成する第３段階と、圧力容器内を予め設定した水位に達したら排水を停止して震盪手段により圧力容器を所定時間震盪させる第４段階とにより、圧力容器内に高濃度に酸素が溶存した水が生成されてなることを特徴とする酸素溶存整水器。
【発明の詳細な説明】
【０００１】
【発明の属する技術分野】
この発明は、酸素溶存整水器に関するものである。
【０００２】
【従来の技術】
従来の水道水などに含有する塩素を除去した飲料水を得る整水器としては、例えば、特開２００２−２９７２２号公報に示すような活性炭を用いたもの、特開２００１−２５９６４８号公報に示すような永久磁石を用いたもの、特開２０００−６３１７３号公報に示すような化石珊瑚を用いたもの、特開２００１−３４０８５７号公報に示すような電気分解装置を用いたものなどが存在している。
【０００３】
【発明が解決しようとする課題】
しかしながら、かかる従来技術が、飲料水に含まれる塩素を除去することで、該塩素に含まれる発ガン物質といわれるトリハロメタンなどを除去できるとしても、かかる飲料水を飲んでも酸素を摂取することはできない。また、人間などの生体は、高濃度の酸素が溶け込んだ水を摂取することで、その胃や腸などにより直接酸素を血液中にスムーズに摂取できるので、肺臓からの酸素の摂取より、酸素の摂取がより容易となることは分かっているが、高濃度の酸素溶存整水器は未だ提供されていない。
【０００４】
そこで、この発明は、このような従来の技術に着目してなされたものであり、高濃度の酸素が溶存した整水を簡易に飲料として供給できる酸素溶存整水器を提供するものである。
【０００５】
【課題を解決するための手段】
請求項１に記載の発明は、高い酸素分圧を有し且つ酸素を供給可能なる酸素供給手段と、予め設定した水位若しくは満水状態に貯留されてなる圧力容器とを結合し、該圧力容器を震盪手段により震え動かすことで、高濃度の酸素の泡を圧力容器内の水に巻き込んで、水との接触面積を増やしつつ撹拌することにより、高濃度な酸素溶存水を生成してなる。
【０００６】
請求項１に記載の発明によれば、圧力容器内で高分圧酸素が高濃度に溶け込んだ整水を短時間且つ簡易で大量に入手できるので、飲みたい時、つまり短時間で、作りたて、つまり酸素の脱気していない溶存酸素量の多い水を飲むことが可能である。
【０００７】
請求項２に記載の発明は、請求項１に記載の酸素溶存整水器であって、前記震盪手段は、固定部に対して所定範囲を移動可能なるガイド手段と、該ガイド手段に沿って往復動可能なると共に前記圧力容器を保持可能なる支持手段と、該支持手段をガイド手段に沿って往復動させるアクチュエータとより構成されてなる。
【０００８】
請求項２に記載の発明によれば、アクチュエータにより支持手段をガイド手段に沿って往復動させることで、支持手段に保持されてなる圧力容器が適宜往復動し、圧力容器内の水に酸素を巻き込ませる効率が高くなる。
【０００９】
請求項３に記載の発明は、請求項１に記載の酸素溶存整水器であって、前記震盪手段は、一軸を中心に往復揺動可能なると共に前記圧力容器を保持可能なる支持手段と、該支持手段を一軸中心に往復揺動させるアクチュエータとより構成されてなる。
【００１０】
請求項３に記載の発明によれば、アクチュエータにより支持手段を往復揺動させることで、支持手段に保持されてなる圧力容器が適宜往復動し、圧力容器内の水に酸素を巻き込ませる効率が高くなる。
【００１１】
請求項４に記載の発明は、請求項１乃至請求項３の何れか１項に記載の酸素溶存整水器であって、前記酸素供給手段と前記圧力容器との結合手段は、震盪手段の移動に影響されず且つ震盪手段に影響を与えない柔軟性を有する材質により形成されてなる。
【００１２】
請求項４に記載の発明によれば、圧力容器を震盪する際に、結合手段が柔軟であるから、震盪手段の移動に影響されず且つ震盪手段に影響を与えない。
【００１３】
請求項５に記載の発明は、請求項１乃至請求項４の何れか１項に記載の酸素溶存整水器であって、前記圧力容器内を予め設定した水位若しくは満水にすると共に密閉にする第１段階と、該圧力容器を支持手段に固定する第２段階と、酸素の圧力により圧力容器内の水を排水すると共に酸素を供給して、圧力容器内の上部に酸素の滞留する空間を形成する第３段階と、圧力容器内を予め設定した水位に達したら排水を停止して震盪手段により圧力容器を所定時間震盪させる第４段階とにより、圧力容器内に高濃度に酸素が溶存した水が生成されてなる。
【００１４】
請求項５に記載の発明によれば、圧力容器内に高濃度に酸素の溶存した水が短時間に大量に生成される。
【００１５】
【発明の実施の形態】
以下、この発明の好適な実施形態を図面に基づいて説明する。
【００１６】
図１及び図２は、この発明の第１実施形態を示す図である。図１の符号１は、酸素溶存整水器で、該酸素溶存整水器１は、高い酸素分圧を有し且つ酸素５を供給可能なる「酸素供給手段」である、例えば１８．６Ｍｐａで、容量が９８ｃｃの超小型の酸素カートリッジ２と、予め設定した水位若しくは満水状態に貯留されてなる、例えばアルミニュウムなどの金属板よりなり、容量が１３００ｃｃの圧力容器３とを「結合手段」である第１パイプ６により結合し、該圧力容器３を震盪手段２０により震え動かすことで、高濃度の酸素５の泡を圧力容器３内の水４に巻き込んで、水４との接触面積を増やしつつ撹拌することにより、少なくとも６０ｍｇ／Ｌ以上、望ましくは１００ｍｇ／Ｌ以上の高濃度な酸素溶存水４を生成してなる。符号７は、一端部が圧力容器３の口３ｂに接続され、他端部が開閉自在な第２弁１２を介して大気に開放されている第２パイプである。
【００１７】
前記圧力容器３と酸素カートリッジ２との間には、圧力レギュレータ８を連結して、酸素圧力を所定値、例えば、０．２Ｍｐａに制御可能なるようにしている。該圧力レギュレータ８と、前記第１パイプ６との間には、開閉自在なる第１弁１０が介在されてなる。前記圧力容器３と酸素カートリッジ２とを結合する第１パイプ６及び第２パイプ７は、震盪手段２０の移動に影響されず且つ震盪手段２０に影響を与えない柔軟性を有する材質により形成されてなる。
【００１８】
前記震盪手段２０は、「固定部」としての床２１に対して所定範囲を移動可能なるガイド手段２２と、該ガイド手段２２に沿って往復動可能なると共に前記圧力容器３を保持可能なる箱状の支持手段２３と、該支持手段２３をガイド手段２２に沿って往復動させるアクチュエータ２４とより構成されてなる。該アクチュエータ２４は、前記支持手段２３に第１ピン２５により連結されてなる連結棒２６と、該連結棒２６に第２ピン２７により連結されてなるクランク２８と、該クランク２８に第３ピン２９により連結されてなるモーターＭとよりなる。
【００１９】
従って、かかる酸素溶存整水器１による高酸素溶存整水４を生成するには、第１段階として、前記圧力容器３内を予め設定した水位若しくは満水にした後、蓋１８をして圧力容器３を密閉にして第１，第２パイプ６，７を接続する。
【００２０】
第２段階として、圧力容器３を震盪手段２０の支持手段２３にしっかりと固定する。
【００２１】
第３段階として、第１弁１０をｓｔｅｐ１０１に示すように開成すると共に第２弁１２をｓｔｅｐ１０２に示すように開くことで、酸素５による圧力が、第１パイプ６から圧力容器３内に加わり、溢れた水４が第２パイプ７から外部に排水する。すると、ｓｔｅｐ１０３に示すように、圧力容器３内の口３ｂ周りに水４と入れ替わった酸素５の滞留する空間１１が約４０ｃｃ形成される。
【００２２】
第４段階として、第２パイプ７の一端部と同面の位置まで水位が下がったら、ｓｔｅｐ１０４に示すように、第２弁１２を閉じ、ｓｔｅｐ１０５に示すように、震盪手段２０のモーターＭを稼動させることで、モーターＭの回転力をクランク２８と連結棒２６によって往復直線運動に変え、震盪を繰り返す。
【００２３】
こうして、高圧のまま、往復直線運動を繰り返して、ｓｔｅｐ１０６に示すように、約３分が経過すると、圧力容器３内に１９９．５ｍｇ／Ｌ以上の高濃度に酸素５が溶存した水４が生成されてなるので、ｓｔｅｐ１０７に示すように、モーターＭを停止し、ｓｔｅｐ１０８に示すように、第１弁１０を閉じ、ｓｔｅｐ１０９に示すように、第２弁１２を開いて、圧力容器３内の高圧酸素５を第２パイプ７を通じて外部に抜くことで減圧する。この時に、第２弁１２の開閉を断続的に行うことによって減圧を段階的に行い、圧力容器３内の水４に溶けた酸素５が急激な減圧によって抜けてしまうことを防ぐことができる。このあと、圧力容器３の蓋１８を開成して、少なくとも６０ｍｇ／Ｌ以上、望ましくは１００ｍｇ／Ｌ以上の高濃度に酸素５が溶存した水４を取り出すことが出来る。
【００２４】
図３は、この発明の第２実施形態を示す図である。図３の符号３０は、別の酸素溶存整水器で、該酸素溶存整水器３０は、高い酸素分圧を有し且つ酸素５を供給可能なる「酸素供給手段」である、例えば１８．６Ｍｐａで、容量が９８ｃｃの超小型の酸素カートリッジ２と、予め設定した水位若しくは満水状態に貯留されてなる、例えばアルミニュウムなどの金属板よりなり、容量が１３００ｃｃの圧力容器３とを「結合手段」である第１パイプ６により結合し、該圧力容器３を震盪手段３１により震え動かすことで、高濃度の酸素５の泡を圧力容器３内の水４に巻き込んで、水４との接触面積を増やしつつ撹拌することにより、少なくとも６０ｍｇ／Ｌ以上、望ましくは１００ｍｇ／Ｌ以上の高濃度な酸素溶存水４を生成してなる。符号７は、一端部が圧力容器３の口３ｂに接続され、他端部が開閉自在な第２弁１２を介して大気に開放されている第２パイプである。
【００２５】
前記圧力容器３と酸素カートリッジ２との間には、圧力レギュレータ８を連結して、酸素圧力を所定値、例えば、０．２Ｍｐａに制御可能なるようにしている。該圧力レギュレータ８と、前記第１パイプ６との間には、開閉自在なる第１弁１０が介在されてなる。前記圧力容器３と酸素カートリッジ２とを結合する第１パイプ６及び第２パイプ７は、震盪手段３１の移動に影響されず且つ震盪手段３１に影響を与えない柔軟性を有する材質により形成されてなる。
【００２６】
前記震盪手段３１は、「固定部」としての床２１に対して所定範囲を移動可能なるガイド手段２２と、一軸３３を中心に該ガイド手段２２に沿って往復揺動可能なると共に前記圧力容器３を保持可能なる支持手段３２と、該支持手段３２をガイド手段２２に沿って往復動させる前記アクチュエータ２４とより構成されてなる。
【００２７】
従って、かかる酸素溶存整水器１による高酸素溶存整水４を生成するには、第１段階として、前記圧力容器３内を予め設定した水位若しくは満水にした後、蓋１８をして圧力容器３を密閉にして第１，第２パイプ６，７を接続する。
【００２８】
第２段階として、圧力容器３を震盪手段３１の支持手段３２にしっかりと固定する。
【００２９】
第３段階として、第１弁１０を開成すると共に第２弁１２を開くことで、酸素５による圧力が、第１パイプ６から圧力容器３内に加わり、溢れた水４が第２パイプ７から外部に排水する。すると、圧力容器３内の口３ｂ周りに水４と入れ替わった酸素５の滞留する空間１１が約４０ｃｃ形成される。
【００３０】
第４段階として、第２パイプ７の一端部と同面の位置まで水位が下がったら、第２弁１２を閉じ、震盪手段３１のモーターＭを稼動させることで、モーターＭの回転力をクランク２８と連結棒２６によって往復円弧運動に変え、震盪を繰り返す。
【００３１】
こうして、高圧のまま、往復円弧運動を繰り返して、約３分が経過すると、圧力容器３内に１９９．５ｍｇ／Ｌ以上の高濃度に酸素５が溶存した水４が生成されてなるので、モーターＭを停止し、第１弁１０を閉じ、第２弁１２を開いて、圧力容器３内の高圧酸素５を第２パイプ７を通じて外部に抜くことで減圧する。この時に、第２弁１２の開閉を断続的に行うことによって減圧を段階的に行い、圧力容器３内の水４に溶けた酸素５が急激な減圧によって抜けてしまうことを防ぐことができる。このあと、圧力容器３の蓋１８を開成して、少なくとも６０ｍｇ／Ｌ以上、望ましくは１００ｍｇ／Ｌ以上の高濃度に酸素５が溶存した水４を取り出すことが出来る。
【００３２】
第１実施形態及び第２実施形態を説明した段階で、水４は、整水前の水にも、整水後の水にも同じ符号４を用いたが、意味は異なることは勿論であるが、図が煩瑣になるので同じ符号を用いた。また、酸素５についても、水４に溶存した酸素も、酸素のみとして存在している場合も、水に溶存する前の段階の酸素も、同じ符号５を用いたが、意味は異なることは勿論であるが、図が煩瑣になるので同じ符号を用いた。
【００３３】
また、前記説明では、原料となる水について、特に特定していないが、水道水を原料とした高濃度な酸素溶存水４は、水道水より若干酸化還元電位（ＯＲＰ）が高くなる傾向があるので、原料としてはアルカリイオン整水された後の水がより望ましいことを確認している。つまり、アルカリイオン整水された後の水を原料に用いることで、水道水よりも溶存酸素量が多く、ＰＨが高く、酸化還元電位（ＯＲＰ）が低い水とすることができる。
【００３４】
【発明の効果】
請求項１に記載の発明によれば、圧力容器内で高分圧酸素が高濃度に溶け込んだ整水を短時間且つ簡易で大量に入手できるので、飲みたい時、つまり短時間で、作りたて、つまり酸素の脱気していない溶存酸素量の多い水を飲むことが可能である。
【００３５】
請求項２に記載の発明によれば、アクチュエータにより支持手段をガイド手段に沿って往復動させることで、支持手段に保持されてなる圧力容器が適宜往復動し、圧力容器内の水に酸素を巻き込ませる効率が高くなる。
【００３６】
請求項３に記載の発明によれば、アクチュエータにより支持手段を往復揺動させることで、支持手段に保持されてなる圧力容器が適宜往復動し、圧力容器内の水に酸素を巻き込ませる効率が高くなる。
【００３７】
請求項４に記載の発明によれば、圧力容器を震盪する際に、結合手段が柔軟であるから、震盪手段の移動に影響されず且つ震盪手段に影響を与えない。
【００３８】
請求項５に記載の発明によれば、圧力容器内に高濃度に酸素の溶存した水が短時間に大量に生成される。
【図面の簡単な説明】
【図１】この発明の第１実施形態に係る酸素溶存整水器を示す全体図。
【図２】図１の往復運動を説明したフローチャート図。
【図３】この発明の第２実施形態に係る酸素溶存整水器を示す全体図。
【符号の説明】
１、３０　酸素溶存整水器
２　「酸素供給手段」である酸素カートリッジ
３　圧力容器
３ｂ　圧力容器の開口
４　水
５　酸素
６　第１パイプ
７　第２パイプ
８　圧力レギュレータ
１０　第１弁
１１　圧力容器内の上部に酸素の滞留する空間
１２　第２弁
１８　蓋
２０、３１　震盪手段
２１　「固定部」としての床
２２　ガイド手段
２３、３２　支持手段
２４　アクチュエータ
３３　一軸
Ｍ　モーター
【図１】
2004057982.tif 000003
【図２】
2004057982.tif 000004
【図３】
2004057982.tif 000005